(57)【要約】【課題】床下構造材の位置によって２枚１組の床暖房パネルＰ１，Ｐ２の設置割付を再検討する等の手間をかけずに、床暖房パネルＰ１，Ｐ２を容易に施工できるようにした、接続部材１５ａ，１５ｂの位置を変更可能な暖房パネルセットＳに対し、その施工時の接続作業を間違いなく容易に行い得るようにする。【解決手段】各温水床暖房パネルＰ１，Ｐ２の基板１下面に形成され、１本の温水パイプ１３が収容された凹溝９が、凹溝本体１１と、その一端に設けられた分岐部１０と、一端が分岐部１０に分岐して接続され、互いに同じ長さの２つの選択凹溝３０と、この他端に設けられ、温水パイプ１３一端の接続部材１５ａ，１５ｂを収容する接続部材収容部１４とを備えている。両温水床暖房パネルＰ１，Ｐ２の接続部材１５ａ，１５ｂに、互いに同じ表示をし他の暖房パネルセットＳとは異なる表示をするラベル２９が設けられている。【選択図】図１
2010151391.tif 000002
【特許請求の範囲】
【請求項１】
基板と、該基板の下面に形成された凹溝と、該凹溝内に収容された温水パイプとを備えた温水床暖房パネルを、２枚１組の温水床暖房パネルセットにして施工するようにした施工構造であって、
上記一方の温水床暖房パネルにおける温水パイプの一端には第１接続部材が設けられている一方、他方の温水床暖房パネルにおける温水パイプの一端には第２接続部材が設けられ、両温水床暖房パネルにおける温水パイプの他端同士は連続しており、
上記各温水床暖房パネルの凹溝は、凹溝本体と、該凹溝本体の少なくとも一端に設けられた分岐部と、一端が上記分岐部に分岐して接続されかつ互いに同じ長さである複数の選択凹溝と、該選択凹溝の他端にそれぞれ設けられた接続部材収容部とを備え、
上記温水パイプの接続部材が設けられている側の端部は、上記分岐部を介して上記複数の選択凹溝のうちのいずれか１つの選択凹溝に収容され、
上記接続部材を収容する上記選択凹溝の他端の接続部材収容部が選択可能とされ、
上記温水床暖房パネルセットの第１及び第２接続部材には、互いに同じ表示をしかつ少なくとも隣接して施工される他の温水床暖房パネルセットの第１及び第２接続部材とは異なる表示をする表示手段がそれぞれ設けられていることを特徴とする温水床暖房パネルの施工構造。
【請求項２】
請求項１の温水床暖房パネルの施工構造において、
温水床暖房パネルの凹溝は、基板の長辺方向端部近傍で短辺方向中央部に位置するように設けられた分岐部と、該分岐部から基板の短辺方向両側に向かって延びる２つの選択凹溝と、基板の短辺方向両側部に設けられた２つの接続部材収容部とを備えていることを特徴とする温水床暖房パネルの施工構造。
【請求項３】
基板と、該基板の下面に形成された凹溝と、該凹溝内に収容された温水パイプとを備えた温水床暖房パネルを、２枚１組の温水床暖房パネルセットにして施工するようにした施工構造であって、
上記一方の温水床暖房パネルにおける温水パイプの一端には第１接続部材が設けられている一方、他方の温水床暖房パネルにおける温水パイプの一端には第２接続部材が設けられ、両温水床暖房パネルにおける温水パイプの他端同士は連続しており、
上記各温水床暖房パネルの凹溝は、凹溝本体と、該凹溝本体の少なくとも一端に設けられた分岐部と、平面視で２つのループ溝同士を互いに接するように連結した８の字状に形成され、両ループ溝の連結部に上記分岐部が接続された選択凹溝と、該分岐部を始点としかつ上記選択凹溝に沿って上記分岐部からの距離が一定で途中で交差しない４つの経路を設定したときに、該経路の終点となる４箇所に設けられた接続部材収容部とを備え、
上記温水パイプの接続部材が設けられている側の端部は、上記分岐部を介して上記選択凹溝に上記経路のいずれか１つに沿うように収容され、
上記接続部材を収容する上記接続部材収容部が選択可能とされ、
上記温水床暖房パネルセットの第１及び第２接続部材には、互いに同じ表示をしかつ少なくとも隣接して施工される他の温水床暖房パネルのセットの第１及び第２接続部材とは異なる表示をする表示手段がそれぞれ設けられていることを特徴とする温水床暖房パネルの施工構造。
【請求項４】
請求項３の温水床暖房パネルの施工構造において、
各温水床暖房パネルの分岐部が基板の長辺方向一端部近傍で短辺方向中央部に設けられ、
選択凹溝の２つのループ溝にそれぞれ２つずつ設けられた接続部材収容部が、基板の短辺方向両側部に設けられていることを特徴とする温水床暖房パネルの施工構造。
【発明の詳細な説明】
【技術分野】
【０００１】
本発明は、温水床暖房パネルの施工構造に関し、特に、温水床暖房パネルを２枚１組の温水床暖房パネルセットに組み合わせて施工するときの構造に関する。
【背景技術】
【０００２】
従来、温水床暖房パネルとして、例えば特許文献１に示すように、表面仕上げ材が一体化されたものが知られている。この温水床暖房パネルは、基板下面に温水パイプが収容される凹溝が形成され、この基板下面に、凹溝内の温水パネルを所定の位置で引き出し可能とする孔や切り欠き等の開口部が予め形成された裏面材が接着されている。この温水床暖房パネルでは、温水パイプを床上面に近く配置することができるため、床上面に熱が伝わり易く、熱効率も良い。さらに、裏面材に予め開口部を設けているので、この開口部から凹溝内の温水パイプを引き出すことができる。このため、温水パイプの接続や、破損や緩みの補修の際には、この開口部から床下に引き出された温水パイプを用いることで、床の施工が全て終了した後に温水パイプの接続作業を行うことができるとともに、パネルを剥がさずに温水パイプの接続部分を補修することができるようになっている。
【０００３】
また、上記特許文献１の温水床暖房パネルでは、基板裏面に複数の長辺方向溝と短辺方向溝とが形成されているため、温水パイプが部分的に配置されたパネルも作ることができ、所定の床暖房範囲だけに部分的に温水パイプを容易に通すことができる。
【０００４】
そして、上記特許文献１の温水床暖房パネルは、上記開口部を覆うシート材を切除することにより、溝部における任意の位置で温水パイプの端部を引き出すことができる。引き出した温水パイプは、床下地材に設けた貫通孔に通され、床下で温水供給装置から温水を供給する往路パイプと放熱後の温水を温水供給装置に戻す復路パイプとに両端部が接続される。
【０００５】
一方、特許文献２に示す温水床暖房パネルでは、基板上面に放熱板が張り合わされていて、基板の端の部分に放熱板の一部を残すようにしてコ字状又はＬ字状の切り欠き部を形成し、一部を残した放熱板を支点として切り欠き部を開閉自在に構成するとともに、温水パイプと往路パイプ又は復路パイプとを切り欠き部内において、エルボやソケット等の接続部材を用いて接続するように構成している。
【０００６】
上記特許文献２の温水床暖房パネルでは、切り欠き部を開いて温水パイプを露出させて接続部材と接続するため接続作業がし易く、また、切り欠き部の大きさを任意に設定することにより、基板の端から余裕を持たせることができるので、温水床暖房パネルを壁際まで施工しても配管の接続作業を容易に行うことができる。
【特許文献１】特開平１１−３０４１６９号公報
【特許文献２】特開平８−３３８６３９号公報
【発明の開示】
【発明が解決しようとする課題】
【０００７】
ところで、上記特許文献１のような温水床暖房パネルでは、基板の凹溝から引き出した温水パイプを直角に折り曲げて往路パイプ又は復路パイプに接続するため、施工の際に、床下地にあけた貫通孔にパイプがこすられて傷ついたり、温水パイプが変形してしまう虞がある。また、温水パイプが凹溝から引き出された部分の基板は加熱されないため、床暖房パネルにおいて暖まりにくい部分がでてしまい、暖房効率が低下する。
【０００８】
そこで、上記特許文献２のように、エルボ等の接続部材を用いて温水パイプと往路パイプ又は復路パイプとを接続することで、温水パイプの傷や変形を防ぐことができるとともに、温水パイプを凹溝から引き出さずに、接続部材によって往路パイプ等と接続するため、暖房効率の低下を抑制することができる。
【０００９】
しかし、上記特許文献２の温水床暖房パネルでは、基板に設けられた凹溝によって温水パネルの端部の収納位置が決まっているため、床下地材に貫通孔を設ける位置も定まってしまう。そうすると、この貫通孔を設ける位置が、根太や大引き等の床下構造材の配設されている位置と一致した場合、床下地材に貫通孔を設けることができないため、温水床暖房パネルの設置割付を再検討する必要があり、手間がかかるという問題がある。
【００１０】
本出願人は、床下地材に配設されている床下構造材の位置によって温水床暖房パネルの設置割付を再検討する等の手間をかけなくても、床暖房パネルを容易に施工することができるようにした温水床暖房パネルを提案した（特願２００８−１０３７０１号明細書及び図面参照）。
【００１１】
この提案のものでは、選択凹溝を設けることで接続部材収容部が選択可能になり、これにより、施工時において床下構造材との位置関係によって、接続部材の位置を変更することが可能となる。
【００１２】
しかし、その反面、２枚の温水床暖房パネルにおける温水パイプの一端にそれぞれ接続部材を設ける一方、両温水床暖房パネルにおける温水パイプの他端同士を連続させて、温水床暖房パネルを２枚１組の温水床暖房パネルセットとして施工した場合、以下のような問題が生じ、改良の余地があった。
【００１３】
すなわち、温水床暖房パネルの施工の際には床下において、温水パイプの接続を行うが、各温水床暖房パネルにそれぞれ１つずつの接続部材が設けられており、２枚１組の温水床暖房パネルセットでは、温水の往路及び復路となる２つの接続部材が引き出される。その際、暗くて狭い床下では、どの２つの接続部材が温水床暖房パネルセットのものとなっているのかを、できるだけ瞬時に理解できることが作業性の上で重要である。
【００１４】
ところが、上記のように接続部材の位置変更が可能になると、その位置によっては隣接する温水床暖房パネルセットの接続部材と間違える恐れがある（接続部材が位置変更不能である場合、一定間隔があけられた固定位置であるので、理解は容易であり、間違えることはない）。仮に端から順番に接続するというルールにしていたとしても、現場状況により、接続部材を見逃してしまい、後で気付いても接続部材と、往路パイプや復路パイプ等の配管部材との距離が離れて届かなくなって接続できず、作業のやり直しになって手間となる恐れが生じる。
【００１５】
同様に、往路及び復路となる接続部材を互いに異なる表示にしておき、往路の接続部材と復路の接続部材とを明確に区分しておいたとしても、現場状況により、接続部材を見逃したときに必要な接続ができず、やはりやり直しになってしまう。
【００１６】
本発明はかかる点に鑑みてなされたもので、その目的は、上記のように、接続部材の位置を変更可能な温水床暖房パネルを２枚１組の温水床暖房パネルセットにして施工する際、その各温水床暖房パネルの接続部材に対する接続作業を間違いなく容易に行い得るようにすることにある。
【課題を解決するための手段】
【００１７】
上記の目的の達成のため、この発明では、１対の温水床暖房パネルの各々に設けられる接続部材に互いに同じでかつ他の温水床暖房パネルのセットとは異なる表示を付すようにした。
【００１８】
具体的には、請求項１の発明では、基板と、該基板の下面に形成された凹溝と、該凹溝内に収容された温水パイプとを備えた温水床暖房パネルを、２枚１組の温水床暖房パネルセットにして施工するようにした施工構造が対象である。
【００１９】
そして、上記一方の温水床暖房パネルにおける温水パイプの一端には第１接続部材が設けられている一方、第２温水床暖房パネルにおける温水パイプの一端には第２接続部材が設けられ、両温水床暖房パネルにおける温水パイプの他端同士は連続している。
【００２０】
また、上記各温水床暖房パネルの凹溝は、凹溝本体と、該凹溝本体の少なくとも一端に設けられた分岐部と、一端が上記分岐部に分岐して接続されかつ互いに同じ長さである複数の選択凹溝と、該選択凹溝の他端にそれぞれ設けられた接続部材収容部とを備え、上記温水パイプの接続部材が設けられている側の端部は、上記分岐部を介して上記複数の選択凹溝のうちのいずれか１つの選択凹溝に収容され、上記接続部材を収容する上記選択凹溝の他端の接続部材収容部が選択可能とされている。
【００２１】
さらに、上記温水床暖房パネルセットの第１及び第２接続部材には、互いに同じ表示をしかつ少なくとも隣接して施工される他の温水床暖房パネルのセットとは異なる表示をする表示手段が設けられていることを特徴とする。
【００２２】
この請求項１の発明では、温水床暖房パネルが２枚１組の温水床暖房パネルセットに組み合わされ、その複数の温水床暖房パネルセットになって施工される。そして、各温水床暖房パネルの温水パイプは凹溝本体に収容され、少なくとも分岐部が設けられている側の端部は、分岐部を介して複数の選択凹溝のうちのいずれか１つに収容されている。温水パイプの端部に設けられた接続部材は、温水パイプが収容される選択凹溝の他端の接続部材収容部に収容される。温水床暖房パネルを床下地材に施工する際に、接続部材が収容されている接続部材収容部に対応する床下地材の箇所に貫通孔を形成し、この貫通孔に温水供給装置から温水を供給する往路パイプ又は放熱後の温水を温水供給装置に戻す復路パイプを通し、これらを接続部材に接続することで、温水パイプと往路パイプ又は復路パイプとを接続する。
【００２３】
ここで、貫通孔を設けようとする床下地材の箇所に根太や大引き等の床下構造材が配設されている場合には、温水パイプの端部を選択凹溝から分岐部まで引き出し、異なる選択凹溝に収容し直す。そして、この選択凹溝の接続部材収容部に対応する床下地材の箇所に貫通孔を設ける。
【００２４】
このように、温水パイプを収容する凹溝に分岐部から分岐する複数の選択凹溝を設け、各選択凹溝の他端に接続部材収容部を設けたため、接続部材が収容されている接続部材収容部に対応する床下地材の箇所に床下構造材が配設されている場合でも、他の選択凹溝に温水パイプを収容し直して、接続部材を異なる位置の接続部材収容部に収容することができ、床下構造材が配設されていない床下地材の箇所に貫通孔を設けて、接続部材に往路パイプ等を接続することができる。
【００２５】
すなわち、床下地材に貫通孔を設けることができる位置にある接続部材収容部を選択可能であるので、床下地材に配設されている床下構造材の位置によって温水床暖房パネルの設置割付を再検討する等の手間をかけなくても、温水床暖房パネルを容易に施工することができる。
【００２６】
そして、各温水床暖房パネルセットにおける一方の温水床暖房パネルの第１接続部材と、他方の温水床暖房パネルの第２接続部材とに、互いに同じ表示をする表示手段が設けられているので、温水床暖房パネルの施工時に床下で接続部材を接続する作業において、どの接続部材が温水床暖房パネルセットのペアであるかが明確に判るようになり、その一方を往路とすれば、もう一方を復路とすればよく、接続間違いが生じない。
【００２７】
しかも、上記第１及び第２接続部材の表示手段は、少なくとも隣接して施工される他の温水床暖房パネルセットのものとは異なる表示をしているので、複数の接続部材について、ある温水床暖房パネルセットと、他の温水床暖房パネルセットとを区別することができ、複数の温水床暖房パネルから引き出された複数の接続部材が隣接していても、どの温水床暖房パネルの往復路用の接続部材なのか、或いは、どの往路用接続部材と、どの復路用接続部材とが１つの温水床暖房パネルセットに対応しているのか識別が容易で直ぐに理解でき、所定の配管部材（往路パイプ、復路パイプ）に対応する接続部材を間違いなく接続することができる。
【００２８】
請求項２の発明では、上記請求項１の温水床暖房パネルの施工構造において、温水床暖房パネルの凹溝は、上記基板の長辺方向端部近傍で短辺方向中央部に位置するように設けられた分岐部と、上記分岐部から基板の短辺方向両側に向かって延びる２つの上記選択凹溝と、上記基板の短辺方向両側部に設けられた２つの接続部材収容部とを備えていることを特徴とする。
【００２９】
この請求項２の発明では、温水パイプの端部は分岐部を介して２つの選択凹溝のうちのいずれか一方に収容されている。温水パイプが収容されている方の選択凹溝の接続部材収容部に対応する床下地材の箇所に根太等の床下構造材が配設されている場合は、温水パイプの端部を選択凹溝から分岐部まで引き出し、他方の選択凹溝に収容し直す。２つの選択凹溝は、基板の短辺方向に互いに離間した位置に設けられているので、貫通孔を設けようとする基板の箇所に床下構造材が配設されている場合には、貫通孔を設ける位置を基板の短辺方向にずらすことができる。
【００３０】
こうして接続部材収容部が基板の短辺方向両側部に設けられているため、一側部の接続部材収容部に対応する床下地材の箇所に床下構造材が配設されていても、この接続部材収容部と離間した他側部の接続部材収容部に接続部材を収容することで、床下構造材が配設されていない床下地材に貫通孔を設けることができ、温水床暖房パネルを容易に施工することができる。
【００３１】
また、分岐部を基板の長辺方向端部近傍に設けているため、２つの選択凹溝のうち、いずれの選択凹溝に温水パイプの端部を収容しても、基板で温水パイプが通らない部分が少ないので、暖房効率の低下を抑制することができる。
【００３２】
請求項３の発明では、基板と、該基板の下面に形成された凹溝と、該凹溝内に収容された温水パイプとを備えた温水床暖房パネルを、２枚１組の温水床暖房パネルセットとして施工するようにした施工構造であって、上記一方の温水床暖房パネルにおける温水パイプの一端には第１接続部材が設けられている一方、他方の温水床暖房パネルにおける温水パイプの一端には第２接続部材が設けられ、両温水床暖房パネルにおける温水パイプの他端同士は連続している。
【００３３】
そして、上記各温水床暖房パネルの凹溝は、凹溝本体と、該凹溝本体の少なくとも一端に設けられた分岐部と、平面視で２つのループ溝同士を互いに接するように連結した８の字状に形成され、両ループ溝の連結部に上記分岐部が接続された選択凹溝と、該分岐部を始点としかつ上記選択凹溝に沿って上記分岐部からの距離が一定で途中で交差しない４つの経路を設定したときに、該経路の終点となる４箇所に設けられた接続部材収容部とを備え、上記温水パイプの接続部材が設けられている側の端部は、上記分岐部を介して上記選択凹溝に上記経路のいずれか１つに沿うように収容され、上記接続部材を収容する上記接続部材収容部が選択可能とされている。
【００３４】
さらに、上記温水床暖房パネルセットの第１及び第２接続部材には、互いに同じ表示をしかつ少なくとも隣接して施工される他の温水床暖房パネルのセットとは異なる表示をする表示手段が設けられていることを特徴とする。
【００３５】
この請求項３の発明では、温水パイプは凹溝本体に収容され、少なくとも分岐部が設けられている側の端部は、分岐部を介して選択凹溝にいずれかの経路に沿って収容されている。温水パイプの端部に設けられた接続部材は、選択凹溝に設けられた４つの接続部材収容部のうち、上記経路の終点に設けられた接続部材収容部に収容される。温水床暖房パネルを床下地材に施工する際に、接続部材が収容されている接続部材収容部に対応する床下地材の箇所に貫通孔を形成し、この貫通孔に温水供給装置から温水を供給する往路パイプ又は放熱後の温水を温水供給装置に戻す復路パイプを通し、これらを接続部材に接続することで、温水パイプと往路パイプ又は復路パイプとを接続する。
【００３６】
接続部材が収容されている接続部材収容部に対応する床下地材の箇所に根太や大引き等の床下構造材が配設されている場合には、温水パイプの端部を選択凹溝から分岐部まで引き出し、床下地材において床下構造材が配設されていない箇所に対応する接続部材収容部に接続部材を収容するように、温水パイプを選択凹溝内に収容し直す。このように、温水パイプを選択凹溝に収容する経路を変えることにより、異なる位置に形成された接続部材収容部のいずれかに接続部材が収容される。
【００３７】
そして、いずれの接続部材収容部に接続部材が収容される場合でも、８の字状に形成された選択凹溝に温水パイプが収容されて、選択凹溝の途中に設けられた接続部材収容部に接続部材が収容されるので、選択凹溝において温水パイプが収容されていない部分が少ない。
【００３８】
このように、温水パイプを収容する凹溝に分岐部から連続する選択凹溝を設け、この選択凹溝に４つの接続部材収容部を設けたため、接続部材が収容されている接続部材収容部に対応する床下地材の箇所に床下構造材が配設されている場合でも、選択凹溝における温水パイプの端部の収容形態を変更して収容し直し、接続部材を異なる位置の接続部材収容部に収容することができるので、床下構造材が配設されていない床下地材の箇所に貫通孔を設けて、接続部材に往路パイプ等を接続することができる。
【００３９】
すなわち、床下地材に貫通孔を設けることができる位置にある接続部材収容部を選択可能であるので、床下地材に配設されている床下構造材の位置によって温水床暖房パネルの設置割付を再検討する等の手間をかけなくても、温水床暖房パネルを容易に施工することができる。
【００４０】
また、分岐部から連続する選択凹溝に接続部材収容部を４つ設けたので、種々の床下構造材の配置に対して対応し易く、床下構造材が配設されていない床下地材の箇所に対応する接続部材収容部の選択を可能とすることができる。
【００４１】
また、温水パイプの端部を８の字状の選択凹溝に収容するので、いずれの接続部材収容部に接続部材を収容しても、基板で温水パイプが通らない部分が少ないので、暖房効率の低下を抑制することができる。
【００４２】
また、各温水床暖房パネルセットにおける一方の温水床暖房パネルの第１接続部材と、他方の温水床暖房パネルの第２接続部材とに、互いに同じ表示をする表示手段が設けられているので、請求項１の発明と同様に、温水床暖房パネルの施工時に床下で接続部材を接続する作業において、どの接続部材が温水床暖房パネルセットのペアであるかが明確に判るようになり、その一方を往路とすれば、もう一方を復路とすればよく、接続間違いが生じない。
【００４３】
さらに、第１及び第２接続部材の表示手段は、少なくとも隣接して施工される他の温水床暖房パネルのセットの接続部材とは異なる表示をしているので、複数の接続部材について、ある温水床暖房パネルのセットと他の温水床暖房パネルのセットとを区別することができ、複数の温水床暖房パネルから引き出された複数の接続部材が隣接していても、どの温水床暖房パネルの往復路用接続部材なのか、或いは、どの往路用接続部材と、どの復路用接続部材とが１つの温水床暖房パネルセットに対応しているのか識別が容易で直ぐに理解でき、所定の配管部材（往路パイプ、復路パイプ）に対応する接続部材を間違いなく接続することができる。
【００４４】
請求項４の発明では、上記請求項３の温水床暖房パネルのセットにおいて、各温水床暖房パネルの分岐部が基板の長辺方向一端部近傍で短辺方向中央部に設けられ、上記選択凹溝の２つのループ溝にそれぞれ２つずつ設けられた上記接続部材収容部が、上記基板の短辺方向両側部に設けられていることを特徴とする。
【００４５】
この請求項４の発明では、温水パイプの端部の接続部材は、分岐部を介して４つの接続部材収容部のうちのいずれかに収容されている。接続部材が収容されている接続部材収容部に対応する床下地材の箇所に根太等の床下構造材が配設されている場合は、温水パイプの端部を選択凹溝から分岐部まで引き出し、異なる接続部材収容部に接続部材を収容し直す。４つの接続部材収容部は、選択凹溝の各ループ溝における基板の短辺方向両側部で長辺方向に互いに離間した位置にそれぞれ設けられているので、貫通孔を設けようとする基板の箇所に床下構造材が配設されている場合には、貫通孔を設ける位置を基板の短辺方向又は長辺方向にずらすことができる。
【００４６】
そして、接続部材収容部が基板の短辺方向に離間した位置と、長辺方向に離間した位置との４箇所に設けられているため、基板の短辺方向又は長辺方向に延びる床下構造材が配設されていても、いずれかの接続部材収容部に接続部材を収容して、床下構造材が配設されていない床下地材に貫通孔を設けることができ、温水床暖房パネルの施工をより一層容易にすることができる。
【発明の効果】
【００４７】
以上説明したように、請求項１〜４の発明によると、２つの温水床暖房パネルを、２枚１組の温水床暖房パネルセットとして施工するようにした施工構造において、各温水床暖房パネルに、選択凹溝及び接続部材収容部を備えた凹溝を設け、この両温水床暖房パネルの接続部材収容部にそれぞれ収容される接続部材に、互いに同じで他の温水床暖房パネルセットの接続部材とは異なる表示をする表示手段を設けたことにより、施工時において床下構造材との位置関係によって、接続部材の位置を変更することができるとともに、温水床暖房パネルの施工時に床下で接続部材を接続する作業において、どの接続部材が温水床暖房パネルセットのペアであるかが明確に判るようになり、複数の接続部材について、ある温水床暖房パネルセットと他の温水床暖房パネルセットとを区別することができ、所定の配管部材に対応する接続部材を間違いなく接続することができる。
【発明を実施するための最良の形態】
【００４８】
以下、本発明の最良の実施形態を図面に基づいて詳細に説明する。以下の好ましい実施形態の説明は、本質的に例示に過ぎず、本発明、その適用物或いはその用途を制限することを意図するものでは全くない。
【００４９】
（実施形態１）
図１は本発明の実施形態１に係る温水床暖房パネル施工構造を示し、この施工構造では、２種類の温水床暖房パネルＰ１，Ｐ２（以下、床暖房パネルともいう）が１組の温水床暖房パネルセットＳ（以下、床暖房パネルセットともいう）に組み合わされて複数セット施工されている。
【００５０】
すなわち、各温水床暖房パネルセットＳは、図３で右側に位置する第１の温水床暖房パネルＰ１と、図３で左側に位置する第２の温水床暖房パネルＰ２とが組み合わされている。これら温水床暖房パネルＰ１，Ｐ２は、基本的には互いに略同じ構造のもので、図４及び図５に示すように、合板、ＭＤＦ等の木質材料からなる基板１を有し、この基板１の上面に突板、ＷＰＣ、化粧紙等からなる表面化粧材２が一体的に接着されている。
【００５１】
図３〜図５に示すように、各温水床暖房パネルＰ１，Ｐ２の基板１周縁部における一方の長辺及び一方の短辺には、断面矩形状の凹条からなる雌実１ａ，１ａが形成されている。一方、基板１の周縁部における他方の長辺及び他方の短辺には、断面矩形状の凸条からなる雄実１ｂ，１ｂが形成されている。各温水床暖房パネルセットＳの床暖房パネルＰ１，Ｐ２同士を接合するとき、及び、互いに隣り合う２つの温水床暖房パネルセットＳ，Ｓにおいて、隣接する床暖房パネルＰ１，Ｐ２同士を接合するときには、いずれもそれら雌実１ａと雄実１ｂとを嵌合させることで、床暖房パネルＰ１，Ｐ２同士を接合するようになっている。
【００５２】
上記各床暖房パネルＰ１，Ｐ２における基板１の下面には凹溝９が形成されている。この凹溝９は、図４に示すように、開口側の側面が互いに平行な平面形状で、奥側の溝底面が断面半円形状のものである。この凹溝９は、連続する１本の温水パイプ１３を収容するためのもので、図３に示すように、各床暖房パネルＰ１，Ｐ２の平面視全域に亘って蛇行するように形成されている。
【００５３】
具体的には、上記凹溝９は、各床暖房パネルＰ１，Ｐ２の長辺方向一端部近傍（図３の上側）で短辺方向中央部に分岐部１０をそれぞれ有し、この各分岐部１０から連続する１本の凹溝本体１１が蛇行して基板１の全域に亘って形成されている。図３の右側に示す第１床暖房パネルＰ１では、その短辺方向において、図３左側の第２床暖房パネルＰ２側端部で長辺方向一端（図３の上側）寄りに、凹溝９の他端が形成されている。一方、第２床暖房パネルＰ２では、分岐部１０から連続する１本の凹溝本体１１（凹溝９）の他端が、短辺方向における第１床暖房パネルＰ１側（図３の右側）端部で長辺方向中央部に形成されている。これら両床暖房パネルＰ１，Ｐ２の凹溝９，９の他端は、両床暖房パネルＰ１，Ｐ２が長辺方向に互いに隣り合った位置に施工された際に、重なる位置に形成されている。
【００５４】
さらに、各床暖房パネルＰ１，Ｐ２の凹溝９は、上記凹溝本体１１と連続し、かつ一端が上記分岐部１０から長辺方向一端側に向かって短辺方向両側に分岐する２つの選択凹溝１２，１２を備えている。各選択凹溝１２の他端には、例えば平面視で矩形状の接続部材収容部１４が形成されている。このことで、凹溝９は凹溝本体１１と、分岐部１０と、選択凹溝１２，１２と、接続部材収容部１４，１４とで構成されている。
【００５５】
上記各温水床暖房パネルＰ１，Ｐ２の凹溝９内には、架橋ポリエチレン等からなる１本の連続する温水パイプ１３が収容されており、この温水パイプ１３の内部を所定温度の温水が流れる。
【００５６】
上記第１温水床暖房パネルＰ１，Ｐ２における温水パイプ１３の一端にはエルボ等の第１接続部材１５ａが液密状にシールされて取付固定されている。一方、第２温水床暖房パネルＰ２における温水パイプ１３の一端にも同様の第２接続部材１５ｂが液密状にシールされて取付固定されている。そして、第１温水床暖房パネルＰ１における温水パイプ１３の他端と第２温水床暖房パネルＰ２における温水パイプ１３の他端とは、上記各温水床暖房パネルＰ１，Ｐ２の凹溝９，９の他端において接続されて、両温水床暖房パネルＰ１，Ｐ２の温水パイプ１３，１３が一連に連続している。このことで、各温水床暖房パネルセットＳの２つの床暖房パネルＰ１，Ｐ２の温水パイプ１３，１３によって１つの温水回路が形成されており、例えば第１温水床暖房パネルＰ１の第１接続部材１５ａから流入した温水が、該第１温水床暖房パネルＰ１の温水パイプ１３を通った後に、第２温水床暖房パネルＰ２の温水パイプ１３に流れてそれを通過し、該第２温水床暖房パネルＰ２の第２接続部材１５ｂから流出するか、或いは逆に、第２温水床暖房パネルＰ２の第２接続部材１５ｂから流入した温水が、該第２温水床暖房パネルＰ２の温水パイプ１３を通った後に、第１温水床暖房パネルＰ１の温水パイプ１３に流れてそれを通過し、該第１温水床暖房パネルＰ１の第１接続部材１５ａから流出するようになっている。
【００５７】
そして、図３に示すように、上記温水パイプ１３の端部は、接続部材１５ａ，１５ｂと共に、選択凹溝１２から分岐部１０までの部分が凹溝９から引出し可能に構成されている。また、第１床暖房パネルＰ１に形成された２つの選択凹溝１２，１２のうちのいずれか一方に一端部が収容される温水パイプ１３は、上記の如く、分岐部１０を経由して凹溝本体１１内を第１床暖房パネルＰ１における他端まで延びている。さらに、この温水パイプ１３は、第２床暖房パネルＰ２における凹溝９に至り、その他端から凹溝本体１１内を連続して延び、他端部が分岐部１０を介して、第２床暖房パネルＰ２に形成された２つの選択凹溝１２，１２のうちのいずれか一方に収容されている。
【００５８】
上記温水パイプ１３の両端部にそれぞれ設けられている両接続部材１５ａ，１５ｂは、各床暖房パネルＰ１，Ｐ２の２つの選択凹溝１２，１２のうち温水パイプ１３が収容されている側の選択凹溝１２の接続部材収容部１４に収容されている。
【００５９】
尚、図４に示すように、上記基板１の下面には裏面材１６が接着されていて、この裏面材１６によって凹溝９及び温水パイプ１３が隠蔽されている。この裏面材１６は、アルミニウム薄膜等の金属シート、アルミニウム薄膜を紙で挟んだアルミサンド紙、樹脂含浸紙、樹脂強化したガラスクロスをクラフト紙で挟んだ繊維強化紙、木質薄単板や木質繊維板等、又はこれらの複合物で構成されたシート状物である。この裏面材１６は、少なくとも一層がアルミニウム薄膜等の金属シート層で構成されているため、均熱効果を得ることができる。
【００６０】
そして、上記裏面材１６は、基板１における分岐部１０、選択凹溝１２、接続部材収容部１４及びこれらの周囲を除く部分、具体的には、分岐部１０から基板１の長辺方向で凹溝本体１１が設けられている側の全面には予め接着されている。一方、基板１における分岐部１０、選択凹溝１２、接続部材収容部１４及びこれらの周囲、具体的には、分岐部１０から基板１の長辺方向で選択凹溝１２が設けられている側には、床暖房パネルＰ１を床下地材２３を施工する際に、裏面材１６を後貼りする。選択凹溝１２側に後貼りする裏面材１６は、予め接着されている凹溝本体１１側の裏面材１６と別体のものとしてもよいし、連続する１枚の裏面材１６で構成されていてもよい。１枚の裏面材１６を用いる場合は、分岐部１０よりも選択凹溝１２側に貼着される部分には離型紙を設けておき、床暖房パネルＰ１，Ｐ２を施工する際に、この離型紙を剥がしながら裏面材１６を基板１に接着する。尚、分岐部１０よりも選択凹溝１２側の裏面材１６は、接続部材収容部１４に対応する部分には貼着しないか、後で該部分を切り取る等して、接続部材１５ａ，１５ｂに床下から往路パイプ２５等を接続する。
【００６１】
上記凹溝９には、温水パイプ１３や接続部材１５ａ，１５ｂの収容を妨げないように、凹溝９内面に少なくとも金属層を有する溝内均熱シートが設けられていてもよい。この溝内均熱シートと上記裏面材１６とを設けることにより、温水パイプ１３を包むように金属層を有するシートで覆うことになるので、より均等な均熱効果を得て熱効率を向上することができる。
【００６２】
そして、上記床暖房パネルＰ１，Ｐ２は、図５に示すように、隣接する根太２０，２０間に断熱材２１を根太２０上面と面一となるように架設した後、その根太２０及び断熱材２１の上に木質材からなる捨て貼り材２２を捨て貼りしてなる床下地材２３上に施工を行うようになっている。この床下地材２３には、温水パイプ１３が収容されている側の選択凹溝１２の接続部材収容部１４に対応する箇所に床下まで貫通する貫通孔２４が設けられている。
【００６３】
施工の際、上記接続部材１５ａ，１５ｂの一方には、温水パイプ１３に温水を供給するための往路パイプ２５が、また他方には放熱後の温水を温水パイプ１３から戻す復路パイプ２６がそれぞれ液密状に接続される。これら接続部材１５ａ，１５ｂによって、水平に配設された温水パイプ１３と、略垂直に配設された往路パイプ２５及び復路パイプ２６とが接続部材収容部１４において接続されるようになっている。
【００６４】
本発明の実施形態に係る施工構造では、図１及び図２に示すように、上記各暖房パネルセットＳが、他の複数の暖房パネルセットＳ，Ｓ，…と組み合わされて床下地材２３上に施工される。図１（図２）は、例えば５つの暖房パネルセットＳ，Ｓ，…を組み合わせる場合を例示しており、往路パイプ２５及び復路パイプ２６の何れもが接続部材１５ａ，１５ｂに接続されておらず、かつこの接続部材１５ａ，１５ｂから分岐部１０までの温水パイプ１３が選択凹溝１２から引き出されている状態を示している。尚、図１では、各床暖房パネルＰ１，Ｐ２の基材１における雌実１ａ及び雄実１ｂの図示を省略している。
【００６５】
図２に示すように、各暖房パネルセットＳの一方の接続部材１５ａ（又は１５ｂ）に接続された往路パイプ２５は、他の暖房パネルセットＳ，Ｓ，…の往路パイプ２５，２５，…と集合されて図示しない温水供給装置（熱源機）の温水供給側に供給配管系２７を介して、また他方の接続部材１５ｂ（又は１５ａ）に接続された復路パイプ２６は、他の暖房パネルセットＳ，Ｓ，…の復路パイプ２６，２６，…と集合されて温水供給装置の温水戻し側に戻し配管系２８を介してそれぞれ接続される。
【００６６】
そして、上記各暖房パネルセットＳに設けられている第１及び第２接続部材１５ａ，１５ｂには、それぞれ互いに同じ表示をしかつ他の暖房パネルセットＳの接続部材１５ａ，１５ｂとは異なる表示をする表示手段としてのラベル２９，２９が設けられている。
【００６７】
具体的には、図１左端の暖房パネルセットＳの２つの接続部材１５ａ，１５ｂにはいずれも、その暖房パネルセットＳ固有の例えばアルファベット「Ａ」字の表示を有するラベル２９（表示手段）が貼り付けにより取り付けられている。また、その暖房パネルセットＳに隣接する右隣の暖房パネルセットＳの２つの接続部材１５ａ，１５ｂのいずれにも、その暖房パネルセットＳ固有のアルファベット「Ｂ」字の表示を有するラベル２９（表示手段）が貼り付けられている。同様にして、残りの暖房パネルセットＳ，Ｓ，…の各々における２つの接続部材１５ａ，１５ｂのいずれにも、その暖房パネルセットＳ，Ｓ，…であることを示すアルファベット「Ｃ」字〜「Ｅ」字の表示を有するラベル２９，２９，…（表示手段）がそれぞれ貼り付けにより取り付けられている。尚、図１では、その下側の部分（実線の円で囲んだ部分）に、各暖房パネルセットＳにおける拡大した２つの接続部材１５ａ，１５ｂを共通に示している。
【００６８】
上記表示手段としては、数値やアルファベット等の文字や記号、或いは色や模様を付与したり、光を利用したりする等、視覚での識別が可能になるもの、凹凸形状等の触覚での識別が可能になるもの、音や声等の聴覚での識別が可能になるもの、様々な公知手段が上げられる。簡便な手段としては、例えば英数字を記入した同一のラベル２９を接続部材１５ａ，１５ｂに付すことで実現可能であり、この実施形態では当該表示を例示している。
【００６９】
尚、この実施形態に係る温水床暖房パネル施工構造では、暖房パネルセットＳにおける１対の床暖房パネルＰ１，Ｐ２からなる１つの温水回路を構成する往路用の接続部材１５ａ（１５ｂ）と復路用の接続部材１５ｂ（１５ａ）とがペアであることが判る必要がある。また、複数の床暖房パネルセットＳ，Ｓ，…を接して施工する場合には、それぞれとを識別できる必要があるので、それぞれの２つの接続部材１５ａ，１５ｂは互いに同じ表示ではあるが、隣接する床暖房パネルセットＳの２つの接続部材１５ａ，１５ｂとは異なる表示とされている。すなわち、少なくとも隣接する床暖房パネルセットＳの２つの接続部材１５ａ，１５ｂとは異なる表示とされていればよく、隣接しない床暖房パネルセットＳの２つの接続部材１５ａ，１５ｂとは同じ表示でもよい。
【００７０】
したがって、上記実施形態１の床暖房パネルＰ１，Ｐ２（床暖房パネルセットＳ）を施工する場合、各々１対の床暖房パネルＰ１，Ｐ２からなる複数の床暖房パネルセットＳ，Ｓ，…が床下地材２３上に並べられて施工される。その際に、まず、ある１つの床暖房パネルセットＳにおいて、その一方、例えば第１床暖房パネルＰ１の温水パイプ１３が収容されている側の選択凹溝１２の接続部材収容部１４に対応する床下地材２３の箇所に貫通孔２４を設ける。
【００７１】
ここで、上記床下地材２３において貫通孔２４を設けようとする箇所が、例えば図５の左側に示すように根太２０が設けられている位置と一致してしまう場合には、床下地材２３に貫通孔２４を設けることができない。そこで、温水パイプ１３の端部を選択凹溝１２から分岐部１０まで引き出して（図３の第１床暖房パネルＰ１参照）、図６に示すように、他方の選択凹溝１２に収容し直すことで、接続部材１５ａを収容する位置を変更し、この接続部材収容部１４に対応する床下地材２３の位置に貫通孔２４を設ける。
【００７２】
そして、適切な接続部材収容部１４に接続部材１５ａ，１５ｂを収容した後、基板１の裏面における分岐部１０よりも選択凹溝１２側に裏面材１６を接着する。その後、床暖房パネルＰ１を床下地材２３に施工する。
【００７３】
上記一方の例えば第１床暖房パネルＰ１を床下地材２３に施工した後、この一方の床暖房パネルＰ１の長辺方向にずらした位置に他方の例えば第２床暖房パネルＰ２を施工する。この施工の際は、一方の床暖房パネルＰ１の長辺側の雌実１ａに他方の床暖房パネルＰ２の長辺側の雄実１ｂを嵌合させて互いを接合させる。
【００７４】
そして、床下地材２３に設けた各貫通孔２４から復路パイプ２６及び往路パイプ２５を挿入して、それぞれ接続部材１５ａ，１５ｂに接続することで、温水パイプ１３と往路パイプ２５及び復路パイプ２６とを接続する。
【００７５】
また、このようにして１つ目の床暖房パネルセットＳの施工後、次の床暖房パネルセットＳの床暖房パネルＰ１，Ｐ２を並べ、両床暖房パネルセットＳ，Ｓの隣接する床暖房パネルＰ１，Ｐ２の雌実１ａと雄実１ｂとを互いに嵌合させて接合させる。以後は残りの床暖房パネルセットＳ，Ｓ，…を順に上記と同様にして施工する。
【００７６】
このような複数の床暖房パネルセットＳ，Ｓ，…の施工時、施工の作業者が床下において、上記の如く、これら暖房パネルセットＳ，Ｓ，…の各々における２つの接続部材１５ａ，１５ｂにそれぞれ往路パイプ２５及び復路パイプ２６を接続する際、図１に示すように、各暖房パネルセットＳにおいて１つの温水回路を構成する第１及び第２の２つの接続部材１５ａ，１５ｂには、互いに同じ表示をするラベル２９，２９が設けられているので、どの接続部材１５ａ，１５ｂが暖房パネルセットＳのペアであるかが明確に判ることになる。そのため、それら接続部材１５ａ，１５ｂの一方が往路用ならば、他方は確実に復路用の接続部材となるので、その一方を往路として往路パイプ２５に接続すれば、必ず残りを復路として復路パイプ２６に接続すればよく、床下という環境の施工現場においても理解し易く、接続間違いが生じることは全くない。
【００７７】
しかも、上記各暖房パネルセットＳの第１及び第２接続部材１５ａ，１５ｂのラベル２９，２９には、他の暖房パネルセットＳ，Ｓ，…のものとは異なる表示がなされている。そのため、複数（例示では１０）の接続部材１５ａ，１５ｂ，１５ａ，１５ｂ，…があっても、その各々について、ある暖房パネルセットＳと他の暖房パネルセットＳとを正確に区別することができ、識別が容易で間違えることがない。つまり、複数の接続部材１５ａ，１５ｂ，１５ａ，１５ｂ，…のうちの必ず２つがペアであることが理解できるので、複数の温水床暖房パネルセットＳ，Ｓ，…の各温水床暖房パネルＰ１，Ｐ２，Ｐ１，Ｐ２，…から引き出された複数の接続部材１５ａ，１５ｂ，１５ａ，１５ｂ，…が互いに隣接していて、そのうちのある接続部材１５ａ（又は１５ｂ）が確認でき難い現場状況にあっても、残りの接続部材１５ｂ（１５ａ）を他の温水床暖房パネルセットＳの接続部材１５ａ（又は１５ｂ）と間違うことはなく、どの温水床暖房パネルセットＳの往復路用接続部材１５ａ，１５ｂなのか、或いは、どの往路用接続部材１５ａ（１５ｂ）と、どの復路用接続部材１５ｂ（１５ａ）とが１つの温水床暖房パネルセットＳに対応しているのか識別が容易で直ぐに理解でき、所定の配管部材（往路パイプ２５及び復路パイプ２６）に対応する接続部材１５ａ，１５ｂを間違いなく接続することができる。
【００７８】
すなわち、仮に、本実施形態のような表示がない場合、現場状況により、ある接続部材１５ａ（１５ｂ）を見逃してしまって施工を進めていき、後で気付いてたとしても、既に当該接続部材１５ａ（１５ｂ）は往路パイプ２５又は復路パイプ２６に届かなくなって接続できず、やり直しになって面倒な手間となることがあるが、この実施形態ではそのようなことが生じることはない。
【００７９】
尚、各床暖房パネルＰ１，Ｐ２において、その温水パイプ１３を収容する凹溝９に分岐部１０から分岐する２つの選択凹溝１２，１２を設け、各選択凹溝１２の端部に接続部材収容部１４を設けたことによる詳細な作用効果は、前記の本出願人が提案した発明によるものと同じであるので、その説明は省略する（特願２００８−１０３７０１号明細書及び図面参照）。
【００８０】
（実施形態２）
図７及び図８は本発明の実施形態２を示す（図１〜図６と同じ構成要素については同じ符号を付して、その詳細な説明は省略する）。
【００８１】
すなわち、この実施形態では、床暖房パネルセットＳにおける各床暖房パネルＰ１，Ｐ２の凹溝９が、数字「８」の字状の選択凹溝３０を備えている点で上記実施形態１と異なる。
【００８２】
具体的には、上記選択凹溝３０は、平面視で２つのループ溝３２ａ，３２ｂ同士を互いに接するように連結した８の字状に形成され、両ループ溝３２ａ，３２ｂの連結部３１が他の部分よりも幅広に形成されていて、その８の字の上下方向が基板１の短辺方向と同じ方向（図７の左右方向）となるように形成されている。
【００８３】
また、各床暖房パネルＰ１，Ｐ２の長辺方向一端部近傍（図７の上側）で短辺方向中央部に設けられた分岐部１０と、上記選択凹溝３０の連結部３１とが接続されている。選択凹溝３０には、分岐部１０を介して温水パイプ１３の端部が収容される。温水パイプ１３の端部は、図７に示すように、選択凹溝３０から分岐部１０まで引出し可能に構成されている。
【００８４】
そして、上記選択凹溝３０には、上記分岐部１０を始点としかつ選択凹溝３０に沿って分岐部１０からの距離が一定で途中で交差しない４つの経路を設定したときに、該経路の終点となる４箇所に接続部材収容部１４ａ〜１４ｄが設けられている。温水パイプ１３の接続部材１５ａ，１５ｂが設けられている側の端部は、分岐部１０を介して選択凹溝３０に上記経路のいずれか１つに沿うように収容される。
【００８５】
具体的には、選択凹溝３０の一方のループ溝３２ａ（左側）において、連結部３１と図７における選択凹溝３０左端との中間部であって、凹溝本体１１側（図７の下側）に第１収容部１４ａが設けられ、連結部３１と選択凹溝３０左端との中間部であって、凹溝本体１１と離間する側（図７の上側）に第２収容部１４ｂが設けられている。一方、選択凹溝３０の他方のループ溝３２ｂにおいて、連結部３１と図７における選択凹溝３０右端との中間部であって、凹溝本体１１と離間する側に第３収容部１４ｃが設けられ、連結部３１と選択凹溝３０右端との中間部であって、凹溝本体１１側に第４収容部１４ｄが設けられている。
【００８６】
そして、図７に第１床暖房パネルＰ１の場合を示すように（第２床暖房パネルＰ２でもよい）、第２収容部１４ｂに温水パイプ１３の端部に設けられた接続部材１５ａを収容する際には、温水パイプ１３は、分岐部１０から折り返されるようにして第４収容部１４ｄ側に延び、第３収容部１４ｃを経て連結部３１を通り、第１収容部１４ａを通って端部が第２収容部１４ｂに到達する第２経路に沿って収容され、接続部材１５ａが第２収容部１４ｂに収容される。
【００８７】
また、図８（ａ）に示すように、第１収容部１４ａに接続部材１５ａを収容する際には、温水パイプ１３は、分岐部１０から折り返されるようにして第４収容部１４ｄ側に延び、第３収容部１４ｃから第２収容部１４ｂを通り、端部が第１収容部１４ａに到達する第１経路に沿って収容され、接続部材１５ａが第１収容部１４ａに収容される。
【００８８】
また、図８（ｂ）に示すように、第３収容部１４ｃに接続部材１５ａを収容する際には、温水パイプ１３は、分岐部１０から折り返されるようにして第１収容部１４ａ側に延び、第２収容部１４ｂを経て連結部３１を通り、第４収容部１４ｄを通って端部が第３収容部１４ｃに到達する第３経路に沿って収容され、接続部材１５ａが第３収容部１４ｃに収容される。
【００８９】
そして、図８（ｃ）に示すように、第４収容部１４ｄに接続部材１５ａを収容する際には、温水パイプ１３は、分岐部１０から折り返されるようにして第１収容部１４ａ側に延び、第２収容部１４ｂから第３収容部１４ｃを通り、端部が第４収容部１４ｄに到達する第４経路に沿って収容され、接続部材１５ａが第４収容部１４ｄに収容される。
【００９０】
上記選択凹溝３０の連結部３１は、他の部分よりも溝幅が大きく形成されているので、温水パイプ１３を折り返すように収容する際の折り曲がり半径を大きくすることができ、温水パイプ１３の損傷を抑制することができる。
【００９１】
尚、本実施形態２においても、上記実施形態１と同様に、その床暖房パネルＰ１，Ｐ２の基板１裏面における分岐部１０よりも凹溝本体１１側に、予め裏面材１６が接着されている一方、分岐部１０よりも選択凹溝１２側には、床暖房パネルＰ１，Ｐ２を施工する際に裏面材１６を後貼りするようになっている。その他の構成は、実施形態１と同様である（図１及び図２参照）。
【００９２】
この実施形態２の床暖房パネルセットＳを施工する際には、予め選択凹溝３０に温水パイプ１３の端部を上記いずれかの経路に収容し、その経路に対応する接続部材収容部１４に接続部材１５ａ，１５ｂを収容しておく。
【００９３】
接続部材１５ａ，１５ｂが収容された接続部材収容部１４に対応する床下地材２３の箇所に貫通孔２４を形成しようとするとき、その床下地材２３の箇所に根太２０等の床下構造材が配設されている場合には、図７の床暖房パネルＰ２で示すように、温水パイプ１３の端部を選択凹溝３０から分岐部１０まで引き出す。そして、床下構造材が配設されていない床下地材２３に対応する箇所にある接続部材収容部１４を選び、その接続部材収容部１４に接続部材１５ａ，１５ｂが収容される経路で温水パイプ１３を選択凹溝３０に収容し直す。
【００９４】
そして、上記接続部材１５ａ，１５ｂが収容されている接続部材収容部１４に対応する床下地材２３の箇所に貫通孔２４を形成し、床暖房パネルＰ１，Ｐ２を床下地材２３上に施工して、接続部材１５ａ，１５ｂに往路パイプ２５又は復路パイプ２６を接続する。
【００９５】
よって、この実施形態２においても上記実施形態１と同様の作用効果を奏することができる。また、この実施形態２において、各温水床暖房パネルＰ１，Ｐ２の凹溝９に、分岐部１０から連続する選択凹溝３０を設け、この選択凹溝３０に４つの接続部材収容部１４ａ〜１４ｄを設けたことによる詳細な作用効果についても、本出願人の提案発明によるものと同じであるので、その説明は省略する（特願２００８−１０３７０１号明細書及び図面参照）。
【００９６】
（その他の実施形態）
尚、上述の実施形態は本発明の例示であって、本発明はこの例に限定されるものではない。例えば、以下のような構成としてもよい。
【００９７】
すなわち、上記各実施形態では、分岐部１０を基板１の長辺方向端部に設けているが、分岐部１０を設ける位置はこれに限定されず、短辺方向端部に設けてもよい。
【００９８】
また、上記各実施形態では、床暖房パネルＰ１，Ｐ２同士を長辺端部で付き合わせて接合したが、床暖房パネルＰ１，Ｐ２同士を短辺端部で付き合わせて接合してもよい。
【００９９】
また、上記各実施形態では、裏面材１６を後貼りする際に、接続部材収容部１４には裏面材１６を貼着しないものとしたが、接続部材１５ａ，１５ｂが収容されていない接続部材収容部１４や、接続部材収容部１４が隣り合う床暖房パネルＰ１，Ｐ２の温水パイプ１３を接続する場合には、裏面材１６で覆うものとしてもよい。このことにより、裏面材１６で覆われる部分が増えるので熱効率を向上させることができる。
【０１００】
また、上記実施形態１では、選択凹溝１２を２つ設けているがが、３つ以上設けてもよい。また、実施形態１では、分岐部１０は、基板１の短辺方向中央部に設けたが、必ずしも中央部に設ける必要はなく、例えば分岐部１０を基板１の短辺方向一端部に設け、複数の選択凹溝を基板１の短辺方向他端部に向かって延びるように設けてもよい。
【産業上の利用可能性】
【０１０１】
本発明は、温水パイプの端部を収容する凹溝の構造に係るものについて、施工性の容易化を図り得るので、極めて有用で産業上の利用可能性が高い。
【図面の簡単な説明】
【０１０２】
【図１】図１は、本発明の実施形態１に係る温水床暖房パネル施工構造を、その各接続部材に貼り付けられているラベルの表示と共に示す斜視図である。
【図２】図２は、複数の温水床暖房パネルセットの各床暖房パネルに対する温水回路の接続系統を示す回路図である。
【図３】図３は、各床暖房パネルセットの床暖房パネルを裏側から見た平面図である。
【図４】図４は、図３のIV−IV線拡大断面図である。
【図５】図５は、床暖房パネルを施工した状態で示す、図３のＶ−Ｖ線拡大断面図である。
【図６】図６は、他方の選択凹溝に温水パイプを収容した状態を床暖房パネル裏側から見て示す平面図である。
【図７】図７は、実施形態２に係る床暖房パネルセットを示す図３相当図である。
【図８】図８は、実施形態２に係る床暖房パネルを裏側から見た平面図であって、図８（ａ）は、第１経路に沿って温水パイプが収容されている場合を示し、図８（ｂ）は、第３経路に沿って温水パイプが収容されている場合を示し、図８（ｃ）は、第４経路に沿って温水パイプが収容されている場合を示す。
【符号の説明】
【０１０３】
Ｓ  温水床暖房パネルセット
Ｐ１，Ｐ２  温水床暖房パネル
１  基板
９  凹溝
１０  分岐部
１１  凹溝本体
１２  選択凹溝
１３  温水パイプ
１４  接続部材収容部
１５ａ  第１接続部材
１５ｂ  第２接続部材
２９  ラベル（表示手段）
３０  選択凹溝
３２ａ，３２ｂ  ループ溝
【図１】
2010151391.tif 000003
【図２】
2010151391.tif 000004
【図３】
2010151391.tif 000005
【図４】
2010151391.tif 000006
【図５】
2010151391.tif 000007
【図６】
2010151391.tif 000008
【図７】
2010151391.tif 000009
【図８】
2010151391.tif 000010